(57)【要約】【課題】  ユーザーがキーワード検索を行うときには、事前に好みのキーワードを登録しておく操作が必要であり、複雑な操作を要求されていた。【解決手段】  デジタル放送を受信する受信回路と、デジタル放送で伝送される電子番組ガイド情報を復調する復調回路と、復調した電子番組ガイド情報を蓄積するメモリと、ユーザーがキーワードを電子番組ガイド情報の中から検索する手段と、ユーザーがキーワードを登録する手段と、蓄積された電子番組ガイド情報の中からキーワードを含んだ番組を検索する手段と、検索した結果を出力する出力回路を備えたものである。【選択図】        図１
2005057523.tif 000002
【特許請求の範囲】
【請求項１】
デジタル放送データの電子番組ガイド情報を当該デジタル放送データより抽出する手段と、
該抽出された電子番組ガイド情報を蓄積する手段と、
該蓄積された電子番組ガイド情報における特定の属性に関する番組付加情報を抽出する手段と、
該抽出した番組付加情報を蓄積する手段とを備えることを特徴とする番組付加情報抽出装置。
【請求項２】
抽出した番組付加情報に対応するキーワード属性を指定する手段をさらに備えることを特徴とする請求項１に記載の番組付加情報抽出装置。
【請求項３】
番組付加情報に基づいて選択された番組に対応する放映時刻情報を対応付けて記憶する手段を更に備えることを特徴とする請求項１または２に記載の番組付加情報抽出装置。
【請求項４】
請求項１乃至３のいずれかに記載の番組付加情報抽出装置と、
該番組付加情報抽出装置に記憶された番組付加情報に基づいて当該番組付加情報に対応する番組の出力を制御する手段と、
該番組の出力を制御する手段からの制御出力に応じて前記番組に対応する放送データを出力する手段とを備える番組表示装置。
【請求項５】
請求項１乃至３のいずれかに記載の番組付加情報抽出装置と、
該番組付加情報抽出装置に記憶された番組付加情報に基づいて当該番組付加情報に対応する番組の出力を制御する手段と、
該番組の出力を制御する手段からの制御出力に応じて前記番組に対応する放送データを記録媒体に記録する手段とを備える番組記録装置。
【発明の詳細な説明】
【技術分野】
【０００１】
この発明は、衛星デジタル放送や地上デジタル放送を受信するデジタル放送受信機に用いられる番組付加情報抽出装置に関するものであり、特に、デジタル放送の電子番組ガイド（Ｅｌｅｃｔｒｏｎｉｃ  Ｐｒｏｇｒａｍ  Ｇｕｉｄｅ：ＥＰＧ）情報の中に含まれるＥＩＴ（Ｅｖｅｎｔ  Ｉｎｆｏｒｍａｔｉｏｎ  Ｔａｂｌｅ）と呼ばれるテーブルに含まれる情報から必要な追加の情報を抽出して分類する番組付加情報抽出装置に関するものである。
【背景技術】
【０００２】
デジタル放送においては、放送番組に関する情報を、正味の放送内容と共に、放送局が送信する、いわゆる電子番組ガイド（Ｅｌｅｃｔｒｏｎｉｃ  Ｐｒｏｇｒａｍ  Ｇｕｉｄｅ：ＥＰＧ）として送信する。
【０００３】
このＥＰＧの中には、放送される番組の属するジャンル、番組の詳細な放送内容、番組の出演者、演奏される楽曲などの情報が１〜２週間分に番組に亘って含まれている。
【０００４】
従来のデジタル放送受信機において、「出演者」等のキーワードを用いた番組検索の方法が公開されているが、番組検索に用いるキーワードを文字入力や音声入力等のユーザーインタフェースを用いてユーザーが入力する装置について提案されている。また、キーワードを工場出荷時に予め登録する方法やインターネットを通じてダウンロードする方法も提案されている（例えば、特許文献１、特許文献２参照）。
【０００５】
【特許文献１】特開平１０−２１５４１９号公報（第７頁、第１図）
【特許文献２】特開２００２−３００４８３号公報（第４頁、第１図）
【発明の開示】
【発明が解決しようとする課題】
【０００６】
ところで、デジタル放送においては、その放送されるチャンネルの数が１００チャンネルを越えるなど、送信されるＥＰＧ情報の容量が非常に大きく、ユーザーがキーワードを用いることにより、蓄積された膨大なＥＰＧ情報の中から視聴を希望する番組を検索するときには、事前に好みのキーワードを登録しておく操作が必要であり、複雑な操作を要求されていた。
【０００７】
本発明は、そのような問題点を解消するためになされたもので、ユーザーはキーワード検索するためのキーワードを効率的に検索・登録することができ、そのキーワードを用いた番組検索を行うことが可能な番組付加情報抽出装置を提供することを目的とする。
【課題を解決するための手段】
【０００８】
本発明に係る装置は、デジタル放送データの電子番組ガイド情報を当該デジタル放送データより抽出する手段と、該抽出された電子番組ガイド情報を蓄積する手段と、該蓄積された電子番組ガイド情報における特定の属性に関する番組付加情報を抽出する手段と、該抽出した番組付加情報を蓄積する手段とを備えることを特徴とする。
【発明の効果】
【０００９】
本発明によれば、ユーザーは受信機に蓄積されたＥＰＧ情報を利用してお好みのキーワードを簡単に検索・登録することができ、この登録キーワードを用いることにより視聴したい番組を効率的に検索することができる。
【発明を実施するための最良の形態】
【００１０】
以下、この発明をその実施の形態を示す図面に基づいて具体的に説明する。
【００１１】
実施の形態
図１は本発明の具体的な実施例を示す図である。
アンテナ１は、地上デジタル放送や衛星デジタル放送などのデジタル放送信号を受信するアンテナである。
【００１２】
アンテナ１で受信されたデジタル放送信号は、チューナ部２に入力される。チューナ部２は、変調されたデジタル放送信号を復調し、復調した信号をデコーダ部３とＥＰＧ情報抽出部４に出力する。
【００１３】
デコーダ部３は、復調された信号に含まれる映像と音声などの符号化信号に対する復号（デコード）処理を行い出力部７に出力する。
【００１４】
ＥＰＧ情報抽出部４は、チューナ部２から出力される映像と音声などの符号化信号と共に含まれるＥＰＧ情報を抽出する。
【００１５】
この抽出されたＥＰＧ情報は、ＥＰＧデコード部５に出力される。このＥＰＧデコード部５では、ＥＰＧ情報の復号が行われ、後述するように、必要な番組情報（ＥＰＧ情報やキーワード等）を分類し、この分類された番組情報を半導体メモリ素子、ハードディスクドライブや光ディスク等のデータ蓄積装置により構成されるデータ蓄積部６に蓄積する。
【００１６】
また、ＥＰＧデコード部５の出力は、例えばＣＲＴやＬＣＤ等の映像表示素子に表示するために出力部７に送られる。なお、ＥＰＧ情報の処理を行うブロックとしてのＥＰＧ処理部８は、ＥＰＧ情報抽出部４、ＥＰＧデコード部５およびデータ蓄積部６により構成される。
【００１７】
以下、図１により示したデジタル放送受信機の詳細な動作について説明する。
【００１８】
アンテナ１は、例えば、ＢＳやＣＳなどの衛星デジタル放送、あるいは地上デジタル放送の変調されたＲＦ信号等を受信して、チューナ部２へデジタル放送信号を出力する。
【００１９】
なお、例えば、ケーブル等を利用したデジタル放送の場合には、当該ケーブルより送信されたデジタル放送信号がチューナ部２に直接入力されてもよい。
【００２０】
チューナ部２は、デジタル放送信号の復調を行う。
ＢＳやＣＳ等のデジタル放送信号は、ＴＣ８ＰＳＫやＱＰＳＫ等の変調方式で変調されている。また、地上デジタル放送ではＯＦＤＭ方式で変調されている。
【００２１】
これらデジタル放送方式には各種のものが存在するが、それぞれの変調方式に従った復調処理（ＴＣ８ＰＳＫやＱＰＳＫ等の変調方式に対してはＴＣ８ＰＳＫやＱＰＳＫ等の復調、ＯＦＤＭ方式の変調方式であればＯＦＤＭの復調）をチューナ部２は司る。
【００２２】
なお、現状のデジタル放送においては、その動画圧縮効率や、データの取扱いの互換性を保つ上で、通常、その符号化方式にはＭＰＥＧ−２が用いられている。
【００２３】
そして、そのＭＰＥＧ−２符号化方式によって符号化され伝送されるデジタルデータのデータ列（ストリーム）は、ＭＰＥＧ−２トランスポートストリームと呼ばれる。以下では、デジタル放送信号にＭＰＥＧ−２トランスポートストリームが用いられる場合について説明する。
【００２４】
デコーダ部３には映像や音声、およびそれらの情報に付随する制御情報等を含んだＭＰＥＧ−２トランスポートストリームが入力され復号処理される。この復号処理の結果、ＲＧＢ等の映像信号や音声信号が最終的に出力される。
【００２５】
以下、ＥＰＧ情報の抽出に関して説明する。
ＭＰＥＧ−２トランスポートストリームは、１８８バイトに区切られたトランスポートストリームパケット（ＴＳＰ。Ｔｒａｎｓｐｏｒｔ  Ｓｔｒｅａｍ  Ｐａｃｋｅｔ）を１単位として、そのＴＳＰが時間的に連続して送信される。
【００２６】
このＴＳＰは、３２ビットのＴＳＰヘッダと、それに続く、アダプテーションフィールド（可変長の付加情報）および当該ＴＳＰによって伝送される正味の情報であるペイロード（このペイロードは可変長であり、Ａ）映像・音声・一般データ、Ｂ）ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に区別できる）とにより構成される。
【００２７】
このＰＳＩ（番組特定情報。Ｐｒｏｇｒａｍ  Ｓｐｅｃｉｆｉｃ  Ｉｎｆｏｒｍａｔｉｏｎ）は、受信しているＴＳＰの中に、そのような番組があり、それをどのように復号するかを示す、例えば、事業者番号や放送番組番号、映像・音声の種別を表すストリーム型式識別等の情報が含まれている。
【００２８】
また、ＳＩ（Ｓｅｒｖｉｃｅ  Ｉｎｆｏｒｍａｔｉｏｎ）は、サービス内容やイベントの開始時刻等の情報を示す、例えば、チャンネル名称や番組名称等の情報が含まれている。
【００２９】
ＥＰＧに関する情報は、ＥＰＧ情報抽出部４においてＭＰＥＧ−２トランスポートストリームから抽出される。
【００３０】
このＥＰＧ情報は、ＭＰＥＧ−２トランスポートストリーム中のＳＩ（番組配列情報。Ｓｅｒｖｉｃｅ  Ｉｎｆｏｒｍａｔｉｏｎ）に含まれる、ＳＤＴ（サービス記述テーブル。Ｓｅｒｖｉｃｅ  Ｄｅｓｃｒｉｐｔｉｏｎ  Ｔａｂｌｅ）およびＥＩＴ（イベント情報テーブル。Ｅｖｅｎｔ  Ｉｎｆｏｒｍａｔｉｏｎ  Ｔａｂｌｅ）と呼ばれるテーブルにある情報から構成される。
【００３１】
ＳＤＴは、チャンネル名称、放送事業社名（放送局の名称）等を情報として含み、ＥＩＴは、イベント（番組）の名称、放送日、開始時刻や継続時間等を情報として含んでいる。
【００３２】
ＭＰＥＧ−２トランスポートストリームには、様々な情報が多重されているが、ここでは、主にＥＩＴから本発明に特徴的なＥＰＧに関する情報を抽出する例について以下に述べる。
【００３３】
ＥＰＧデコード部５は、抽出されたＥＰＧ情報の復号化処理（デコード）を行う。
ＥＰＧの各番組に関する情報は、１週間〜２週間分以上の情報を含んで伝送されており、ジャンル情報、映像フォーマットやコピー制御等の情報、番組の概略内容や詳細内容等の情報も含まれる。
【００３４】
ＥＰＧデコード部５は、各々の番組に対するＥＰＧ情報を抽出・分類するとともに管理し、それまでにデータ蓄積部６に蓄積されていた蓄積データと新たに送信されてきたＥＰＧ情報とを比較することにより、最新のＥＰＧ情報をメモリ等のデータ蓄積部６に蓄積する処理を行う。
【００３５】
ジャンル情報は番組情報のひとつである。このジャンル情報は、その番組が属するジャンルがどのようなものであるかを示すものであり、「ニュース・報道」、「スポーツ」、「映画」、「ドラマ」等のジャンル大分類や、「野球」、「サッカー」、「国内ドラマ」、「海外ドラマ」、「洋画」、「邦画」等のジャンル中分類に分類される（これらジャンル大分類、ジャンル中分類の個々を属性と称する）。
【００３６】
番組の概略説明や詳細説明は、短形式イベント記述子や拡張形式イベント記述子と呼ばれる記述子により伝送される。
【００３７】
この内、番組の詳細説明は、「出演者」や「脚本」などの項目があり、この情報を用いて出演者名などをキーワードとして抽出することができる（これらキーワードの個々をキーワード属性と称する）。
【００３８】
ＥＰＧデコード部５から出力される、ＥＩＴにおける「出演者」の項目では、例えば、『（出演）宮地真尾，藤山隆，沢田靖子，宮木信子，鈴山紗理奈，・・・・』のように、「出演（あるいは「出演者」）」といった後続するデータの属性を示すキーワード属性の情報と、それに続いて「宮地真尾，藤山隆，…」といったそのキーワード属性に属する正味のデータ（キーワード）が記述されている。
【００３９】
ＥＰＧデコード部５は、この情報から、「宮地真尾」、「藤山隆」、「沢田靖子」、「宮木信子」…のようなひとつひとつの出演者名をキーワードとして抽出する。
【００４０】
なお、ここにおける「出演者」の属性情報のＥＩＴにおける記述フォーマットは、厳密に規定されていない。従って、例えば、受信機側で「、（句点）」や「，（カンマ）」等の区切り記号毎に、ひとつひとつの出演者名として抽出する。
【００４１】
そして、抽出された文字列は、一旦、データ蓄積部６に記憶されることで登録され、「出演者名」としての検索用キーワードとして用いられる。すなわち、抽出された文字列は、単なる文字列ではなく、「出演者名」の属性を付加された検索用キーワードとして蓄積されることになる。
【００４２】
この例では、「宮地真尾」、「藤山隆」、「沢田靖子」…は、「出演者」という属性が与えられる。もちろん、「出演者」に限らず、「原作（原作者）」や「監督」などの属性により、ＥＩＴから抽出する文字列を指定することもできる。
【００４３】
ＥＰＧデコード部５は、更に、データ蓄積部６に一旦蓄積された、特定のキーワードを含む番組を検索する検索手段を備える。
【００４４】
ユーザーが好みの出演者を登録するときに、その出演者が予め出演する番組が分かっていれば、その番組の情報を用いて登録できる。
【００４５】
しかしながら、その出演者が、どの番組に出演しているかが分からない場合がある。このようなとき、例えば、ジャンル検索を用いた番組検索を利用すると、ユーザの利便性が高まる。
【００４６】
例えば、登録したい出演者名が「沢田靖子」であり、この人物が映画俳優であったときに、蓄積されたＥＰＧ情報からジャンル大分類「映画」のうち、ジャンル中分類「邦画」のジャンルに属するすべての番組の番組情報に含まれる「出演者」を検索する。
【００４７】
もちろん、「沢田靖子」という出演者が複数の邦画に出演している場合、検索結果の中に「沢田靖子」が複数回含まれる。
【００４８】
通常、俳優等の出演者が同姓同名の場合は極めて稀か、殆どない。従って、検索結果において重複した出演者は同一人物であると考えられるため、そのデータ上の重複を排除して一つのデータとして処理する。
【００４９】
このような処理を経て、その検出結果は、登録可能なキーワードとしてユーザーに提示される（すなわち、例えば、ＣＲＴ等の表示装置に図４に例示するように表示される）。
【００５０】
もちろん、ここでも、登録可能なキーワード属性は、「出演者」に必ずしも限られず、「原作・脚本」（あるいは、「原作」、「脚本」の単体）、「監督・演出」（あるいは、「監督」、「演出」の単体）、「音楽」、「司会」、「曲目」、「解説」、「ゲスト」、「アナウンサー」、「原題」等であっても良いことは言うまでも無い。
【００５１】
ユーザーは、提示された検索結果（登録可能なキーワード）の中から登録したいキーワードを選択することができ、そのキーワードを用いて番組検索を実行することができる。
【００５２】
この登録可能なキーワードの一覧の一例（この例では、出演者の属性の登録データとして１４名のキーワードが登録されている状態を示している）を図５に示す。なお、ＣＲＴ等の表示装置には図５に例示するように表示される。
【００５３】
ユーザが番組検索するに際しては、データ蓄積部６に蓄積された全ての番組情報について、同じ属性のキーワードを順に照合する。これは、例えば、各番組の「出演者」の属性のデータに「沢田靖子」を含んでいるかどうかの照合処理を行うことである。
【００５４】
この照合処理の結果、ＣＲＴ等の表示装置には図６の例示するように表示される。ユーザーは、キーワード検索した番組に対して、図６の表示例の画面を参照しながら、所望の番組について、視聴や録画の予約を設定することができる。
【００５５】
また、上述したように、デジタル放送データの電子番組ガイド情報を抽出し、この抽出された電子番組ガイド情報を一旦蓄積し、この蓄積された電子番組ガイド情報における、例えばジャンル情報のような特定の属性に関する番組付加情報を抽出し、この抽出した番組付加情報を蓄積する構成と、更に、この番組付加情報に対応する放映時刻情報を記憶しておき、番組付加情報に基づいてユーザが選択した番組についての放送データの出力を制御して表示する機能を有する番組表示装置や、その放送データの出力を記録媒体に記録する番組記録装置を構成することもできる。
【００５６】
データ蓄積部６は、ＥＰＧ情報や上述したように抽出したキーワード等を蓄積する。ＥＰＧ情報は、先にも説明したように時間の経過とともに逐次更新されるため、ＥＰＧデコード部５から出力されるデータによって常に最新の情報を取得し、当該最新の情報を更新・保存するように動作する。
【００５７】
また、登録したキーワードの情報は受信機の電源を切っても消失しないことが必要であり、不揮発性を有する半導体メモリ、ハードディスク装置、光ディスク等の、電源の入切に無関係にデータを保持できる蓄積装置を用いるほうが良い。
【００５８】
出力部７は、液晶やＣＲＴなどの表示ディスプレイである。デコード部３から出力される映像信号と音声信号を表示するとともに、ＥＰＧデコード部５から出力されるＥＰＧ情報の表示画像をＯＳＤ（Ｏｎ  Ｓｃｒｅｅｎ  Ｄｉｓｐｌａｙ）技術を用いて合成してユーザーに提示する。
【００５９】
図２は、本実施例においてキーワード登録を行うときの制御フローチャートの一例である。
【００６０】
ＥＰＧ情報を利用した新しいキーワード検索を行う場合（すなわち、先に登録したキーワードとは異なるキーワードを用いて検索を行いたい場合）、受信機では、第一に、新しいキーワードの検索かどうかが確認される。
【００６１】
次に、ユーザーはジャンルを選択する。ここで、例えば「邦画」、「国内ドラマ」、「野球」等のジャンルを指定することができる。
【００６２】
ジャンルが指定されると、データ蓄積部６に蓄積されたＥＰＧ情報を指定されたジャンルについてすべて検索し、そのジャンルに属する番組の情報をすべて抽出する。
【００６３】
さらに、それらの番組に含まれるキーワードを全て抽出する。
そして、最後に重複したキーワードを排除し検索結果を表示する。例えば、ジャンルに「国内ドラマ」を指定すると「浅野玲子」「飯嶋直子」「石田ゆりえ」…といった国内ドラマの出演者名が、図３に例示するように一覧表として表示される。
【００６４】
ユーザーは、この表示された結果の中から、例えば「石田ゆりえ」をリモコン等に設けられたカーソルキーを操作して選択し、「登録」ボタンを更に選択することによって、「石田ゆりえ」等の出演者名を所望のキーワードとして登録することができる。
【００６５】
このとき、検索結果を「出演者」や「監督」等のキーワード属性毎に分類してから表示することも可能であり、最初に属性を指定してから順次検索していくことも可能である。
【００６６】
なお、以上の説明になる、データ蓄積部６に蓄積するＥＩＴについてのデータ蓄積は、例えば、リモコン等に設けられた「ＥＰＧ情報取得ボタン」の押下に連動してＥＰＧ情報の取得を行って、ＥＩＴ情報をデータ蓄積部６に蓄積しても良いし、受信機を使用していない間に、チューナ部２およびＥＰＧ処理部８を自動起動し、逐次チューナ部２における受信チャンネルを変更しながら、各チャンネルにおけるＥＰＧ情報の取得を行って、ＥＩＴ情報をデータ蓄積部６に蓄積しても良い。
【００６７】
もちろん、ＥＰＧ情報を取得するためのチューナ部２を複数備え、ユーザが視聴している際に用いているチューナ部２と時間的に並列して別のチューナ部が、逐次、チューナ部２における受信チャンネルを変更しながら、各チャンネルにおけるＥＰＧ情報の取得を行って、ＥＩＴ情報をデータ蓄積部６に蓄積しても良い。
【００６８】
以上、説明したように構成すれば、デジタル放送を受信して、その番組付加情報抽出装置、番組表示装置および番組記録装置において、より簡便な方法でキーワードを登録することが可能となる。特に、説明したような構成を用いることにより、ユーザーが複雑な文字入力や音声入力を行わないでキーワードを登録でき、番組検索に用いることができる。
【図面の簡単な説明】
【００６９】
【図１】本発明の実施例を示すブロック図である。
【図２】本発明の実施例におけるフローチャート例である。
【図３】電子番組ガイドのキーワード検索時の表示例を示す図である。
【図４】電子番組ガイドのキーワード検索時の別の表示例を示す図である。
【図５】電子番組ガイドの登録キーワードの表示例を示す図である。
【図６】電子番組ガイドのキーワード検索結果の表示例を示す図である。
【符号の説明】
【００７０】
１  地上アンテナ
２  チューナ部
３  デコーダ部
４  ＥＰＧ情報抽出部
５  ＥＰＧデコード部
６  データ蓄積部
７  出力部
８  ＥＰＧ処理部
【図１】
2005057523.tif 000003
【図２】
2005057523.tif 000004
【図３】
2005057523.tif 000005
【図４】
2005057523.tif 000006
【図５】
2005057523.tif 000007
【図６】
2005057523.tif 000008